【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】
階層構造を有する複数のオブジェクトストリームを再生するデータ処理装置の制御方法であって、
オブジェクトの利用の可否を制御する階層化された管理情報を抽出する管理情報抽出ステップと、
前記管理情報抽出ステップで抽出された管理情報に従い、前記オブジェクトの利用が禁止されているかどうかを判断する判断ステップと、
前記判断ステップの判断結果に従い、前記オブジェクトの利用が禁止されている場合は、前記オブジェクトの階層構造が下位にあるオブジェクトの利用許可を判定することなく、前記オブジェクトの階層構造が下位にあるオブジェクトの利用を禁止し、前記オブジェクトの利用が許可されている場合は、前記オブジェクトの階層構造が下位にあるオブジェクトの利用が許可されているかを判定する判定ステップと、
前記判定ステップの判定結果に応じて、前記オブジェクトの階層構造が下位にあるオブジェクトの再生を行う再生ステップ
とを有することを特徴とするデータ処理装置の制御方法。
【請求項２】
前記オブジェクトストリームは、ＭＰＥＧ−４ストリームであって、前記管理情報は、ＩＰＭＰ（Intellectual Property Management Protection）ストリームより抽出される情報であることを特徴とする請求項１に記載のデータ処理装置の制御方法。
【請求項３】
前記オブジェクトストリームは、少なくとも、動画像データ、あるいは、音声データであることを特徴とする請求項１又は２に記載のデータ処理装置の制御方法。
【請求項４】
階層構造を有する複数のオブジェクトストリームを再生するデータ処理装置であって、
オブジェクトの利用の可否を制御する階層化された管理情報を抽出する管理情報抽出手段と、
前記管理情報抽出手段で抽出された管理情報に従い、前記オブジェクトの利用が禁止されているかどうかを判断する判断手段と、
前記判断手段の判断結果に従い、前記オブジェクトの利用が禁止されている場合は、前記オブジェクトの階層構造が下位にあるオブジェクトの利用許可を判定することなく、前記オブジェクトの階層構造が下位にあるオブジェクトの利用を禁止し、前記オブジェクトの利用が許可されている場合は、前記オブジェクトの階層構造が下位にあるオブジェクトの利用が許可されているかを判定する判定手段と、
前記判定手段の判定結果に応じて、前記オブジェクトの階層構造が下位にあるオブジェクトの再生を行う再生手段
とを有することを特徴とするデータ処理装置。
【請求項５】
前記オブジェクトストリームは、ＭＰＥＧ−４ストリームであって、前記管理情報は、ＩＰＭＰ（Intellectual Property Management Protection）ストリームより抽出される情報であることを特徴とする請求項４に記載のデータ処理装置。
【請求項６】
前記オブジェクトストリームは、少なくとも、動画像データ、あるいは、音声データであることを特徴とする請求項４又は５に記載のデータ処理装置。
【請求項７】
コンピュータに、請求項１〜３の何れか1項に記載のデータ処理装置の制御方法の手順を実行させるプログラムを記憶したことを特徴とする、コンピュータにより読み取り可能な記憶媒体。
【手続補正２】
【補正対象書類名】明細書
【補正対象項目名】００１１
【補正方法】変更
【補正の内容】
【００１１】
【課題を解決するための手段】
本発明に係るデータ処理方法は、階層構造を有する複数のオブジェクトストリームを再生するデータ処理装置の制御方法であって、オブジェクトの利用の可否を制御する階層化された管理情報を抽出する管理情報抽出ステップと、前記管理情報抽出ステップで抽出された管理情報に従い、前記オブジェクトの利用が禁止されているかどうかを判断する判断ステップと、前記判断ステップの判断結果に従い、前記オブジェクトの利用が禁止されている場合は、前記オブジェクトの階層構造が下位にあるオブジェクトの利用許可を判定することなく、前記オブジェクトの階層構造が下位にあるオブジェクトの利用を禁止し、前記オブジェクトの利用が許可されている場合は、前記オブジェクトの階層構造が下位にあるオブジェクトの利用が許可されているかを判定する判定ステップと、前記判定ステップの判定結果に応じて、前記オブジェクトの階層構造が下位にあるオブジェクトの再生を行う再生ステップとを有することを特徴とする。
【手続補正３】
【補正対象書類名】明細書
【補正対象項目名】００１２
【補正方法】変更
【補正の内容】
【００１２】
本発明に係るデータ処理装置は、階層構造を有する複数のオブジェクトストリームを再生するデータ処理装置であって、オブジェクトの利用の可否を制御する階層化された管理情報を抽出する管理情報抽出手段と、前記管理情報抽出手段で抽出された管理情報に従い、前記オブジェクトの利用が禁止されているかどうかを判断する判断手段と、前記判断手段の判断結果に従い、前記オブジェクトの利用が禁止されている場合は、前記オブジェクトの階層構造が下位にあるオブジェクトの利用許可を判定することなく、前記オブジェクトの階層構造が下位にあるオブジェクトの利用を禁止し、前記オブジェクトの利用が許可されている場合は、前記オブジェクトの階層構造が下位にあるオブジェクトの利用が許可されているかを判定する判定手段と、前記判定手段の判定結果に応じて、前記オブジェクトの階層構造が下位にあるオブジェクトの再生を行う再生手段とを有することを特徴とする。
【手続補正４】
【補正対象書類名】明細書
【補正対象項目名】００２０
【補正方法】変更
【補正の内容】
【００２０】
各同期レイヤ１６，１８，２０，２２は、ＭＰＥＧ−４ストリームに付加されるタイムスタンプと呼ばれる時間情報に従い、シーン記述データ、音声オブジェクトデータ、動画像オブジェクトデータ及びオブジェクト記述データを時間同期させて復号回路２６，２８，３０，３２に供給する。ＩＰＭＰ制御装置２４は、デマルチプレクサ１４からのＩＰＭＰ情報に従い、同期レイヤ１６〜２２から復号回路２６〜３２へのデータ供給及び復号回路２６〜３２の復号化動作の実行（開始・停止）を制御する。詳細は後述するが、ＩＰＭＰ制御装置２４は例えば、図２に示すように、オブジェクトデータ＃２の再生停止、オブジェクトデータ＃３の再生停止、オブジェクトデータ＃３の再生開始、及びオブジェクトデータ＃２の再生開始というようにオブジェクトデータ毎に独立してその利用を制御する。
【手続補正５】
【補正対象書類名】明細書
【補正対象項目名】００２１
【補正方法】変更
【補正の内容】
【００２１】
なお、本実施例では、音声オブジェクトデータ、動画像オブジェクトデータ及びオブジェクト記述データについては、それぞれに複数の互いに異なる種類のオブジェクトデータがＭＰＥＧ−４ストリーム内に存在しても復号可能なように、同期レイヤ１８，２０，２２及び復号回路２８，３０，３２はそれぞれ、複数用意されている。
【手続補正６】
【補正対象書類名】明細書
【補正対象項目名】００２２
【補正方法】変更
【補正の内容】
【００２２】
復号回路２６，２８，３０，３２により復号されたシーン記述データ、音声オブジェクトデータ、動画像オブジェクトデータ及びオブジェクト記述データはシーン合成回路３４に印加される。シーン合成回路３４は、シーン記述復号回路２６で復号化されたシーン記述データに基づき、復号回路２８，３０，３２からの復号化された音声オブジェクトデータ、動画オブジェクトデータ及びオブジェクト記述データを合成及びグラフィック処理する。このようにして得られた最終的なデータ列が、ディスプレイ及びプリンタ装置といった出力機器３６に供給され、可視化される。
【手続補正７】
【補正対象書類名】明細書
【補正対象項目名】００３５
【補正方法】変更
【補正の内容】
【００３５】
利用制御装置４４ａ，４４ｂはそれぞれ、ＩＰＭＰ制御装置５０の制御情報抽出装置５８からの制御情報に従い、同期レイヤ４２ａ，４２ｂの出力を選択的に復号装置４６ａ，４６ｂに供給し、これにより、各オブジェクトの利用が制御される。オブジェクト復号装置４６ａ，４６ｂは入力するデータ、すなわち、符号化されたオブジェクトデータを復号して、シーン合成装置４８に印加する。シーン合成装置４８は、復号されたシーン記述データに基づき、オブジェクト復号装置４６ａ，４６ｂの出力を合成し、グラフィック処理する。